(57)【特許請求の範囲】
【請求項１】
扉１の背面１ａに固定される一方の座２の軸孔６に回動自在に組み込まれ、かつ、前記扉の正面１ｂに固定された対をなす他方の座３の軸孔７に回動自在に組み込まれた回動体８に水平角軸９を介して一体的に連結されるサムターン用摘みの取付け構造に於いて、前記摘み５は、摘み部２０に連設しかつ前記座２の軸孔６に形成された嵌合凹所１５に嵌合する嵌合鍔部２１と、この嵌合鍔部に連設しかつ前記嵌合凹所１５に連設する軸孔６の内周壁１６を摺動する軸部２２とから成り、前記軸部２２の外筒状周壁部２６の挿入先端部には、挿入先端面２５から軸芯方向に形成され、かつ外筒状周壁部２６の周方向に所要間隔を有して形成された複数本の切欠溝２７が設けられ、また、前記挿入先端部には前記軸孔６の内周壁１６に圧接し得るように係止爪２８を前記切欠溝２７を介して複数個突設し、これらの係止爪２８が座の軸孔６を摺動通過した途端に材質自体の弾発力により復帰して直ちに軸孔の内周縁部に係合し、さらに、各係止爪２８は角軸穴部２３と外筒状周壁部２６とを連結する複数個の支持短杆２９の位置を考慮し、切欠溝２７の近傍に設けられていることを特徴とするサムターン用摘みの取付け構造。
【発明の詳細な説明】
【０００１】
【発明の属する技術分野】
本発明はサムターン用摘みの取付け構造に関する。サムターンは施錠装置或いは施錠具の一種であり、例えば室内のトイレ扉のレバーハンドルを支承する長座の軸孔に組み込まれている。
【０００２】
【従来の技術】
従来のサムターン用摘みの取付け構造は、ペンチ等の治具を使用しなければ成らないので、非常に面倒臭さがあった。すなわち、室内のトイレ扉の両側面には一対の座（長座、丸座）が固定的に取付けられ、この座には摘み用などの軸孔が形成されている。この座の軸孔には普通一般にサムターン用摘みが組み込まれるが、従来、この種の摘みの挿入先端部には、例えば周方向に抜脱防止具としてのＥリングを嵌め込むことができる係合溝が形成されているに過ぎない。
【０００３】
したがって、座にサムターン用摘みを装着する場合には、座の軸孔に前記係合溝を有する摘みを単にそのまま「スポット」差し込み、次いで軸孔から突出した摘みの挿入先端部の係合溝にペンチ等の治具を使用してＥリングを嵌め込む必要がある。この為、座に対する摘みの装着が面倒である、嵌め込み不良が生じるといったような問題点があった。
【０００４】
【発明が解決しようとする課題】
本願発明の第１の目的は、個々の抜脱防止具、ペンチ等の治具を使用しないで、ワンタッチ方式で摘みを座に組み込むことができることである。また、第２の目的は摘みの軸部に突設した係合爪を介して軸部の弾性変形を容易にできる反面、係止爪が座の軸孔を摺動通過した途端に材質自体の弾発力により復帰し、直ちに軸孔の内周縁部に係合することである。これにより、中途半端な嵌め込み不良が生じないことである。
【０００５】
【課題を解決するための手段】
本発明のサムターン用摘みの取付け構造は、扉１の背面１ａに固定される一方の座２の軸孔６に回動自在に組み込まれ、かつ、前記扉の正面１ｂに固定された対をなす他方の座３の軸孔７に回動自在に組み込まれた回動体８に水平角軸９を介して一体的に連結されるサムターン用摘みの取付け構造に於いて、前記摘み５は、摘み部２０に連設しかつ前記座２の軸孔６に形成された嵌合凹所１５に嵌合する嵌合鍔部２１と、この嵌合鍔部に連設しかつ前記嵌合凹所１５に連設する軸孔６の内周壁１６を摺動する軸部２２とから成り、前記軸部２２の外筒状周壁部２６の挿入先端部には、挿入先端面２５から軸芯方向に形成され、かつ外筒状周壁部２６の周方向に所要間隔を有して形成された複数本の切欠溝２７が設けられ、また、前記挿入先端部には前記軸孔６の内周壁１６に圧接し得るように係止爪２８を前記切欠溝２７を介して複数個突設し、これらの係止爪２８が座の軸孔６を摺動通過した途端に材質自体の弾発力により復帰して直ちに軸孔の内周縁部に係合し、さらに、各係止爪２８は角軸穴部２３と外筒状周壁部２６とを連結する複数個の支持短杆２９の位置を考慮し、切欠溝２７の近傍に設けられていることを特徴とする。
【０００６】
そして、上記構成に於いて、係止爪２８は角軸穴部２３と外筒状周壁部２６とを連結する支持短杆２９の位置を考慮し、切欠溝２７の近傍に設けられていることを特徴とする。
【０００７】
付言すると、切欠溝２７は挿入先端面２５から軸芯方向に形成されていると共に、外筒状周壁部２６の周方向に所要間隔を有して複数本設けられている。また複数個の係止爪２８は外筒状周壁部２６の周方向に所要間隔を有して配設され、これらの係止爪２８は角軸穴部２３と外筒状周壁部２６とを連結する複数個の支持短杆２９の位置を考慮し、前記切欠溝２７の近傍に設けられている。
【０００８】
【発明の実施の形態】
図１乃至図９は本発明の第１実施例である。本発明は指で摘みをひねるだけで施錠できる型の錠（ここでは「サムターン」と言う。）に使用される。そこで、図１及び図２は本発明の実施形態の一例を示す。そこで、まず実施の環境を取り巻く基本的な部材について説明する。１は室内に設けられた扉、例えばトイレのドアである。１ａは扉の背面、一方、１ｂは扉の正面である。２は扉１の背面１ａに固定された長座、一方、３は扉１の正面１ｂに固定された長座である。普通一般に前記内外の長座２，３は、図２で示すように固定用ビス４を介して一体的に連結固定される。なお、図２に於いて、下方の固定用ビス４、錠箱、レバーハンドル等は本発明の要部ではないので省略してある。５は本発明のサムターン用摘みである。この摘み５は、普通一般に図２で示すように一方の長座２の軸孔６に回動自在に組み込まれ、かつ、対をなす他方の長座３の軸孔７に回動自在に組み込まれた回動体８と水平角軸９を介して一体的に連結される。
【０００９】
図３は扉１の背面１ａに固定される長座２と、この長座２の軸孔６に嵌め込まれる合成樹脂製の摘み５をそれぞれ示す。長座２はもちろん丸座でも良い。図３を基準に長座２を説明すると、上下に固定用ビス４が貫通する小孔１０，１１が形成されている。そして、上方の小孔１０寄りの部位には前述した軸孔６が形成され、一方、下方の小孔１１寄りの部位にはレバーハンドル１２用の嵌合軸孔１３が形成されている。
【００１０】
ここで、サムターン用摘み５と関係する軸孔６について説明する。軸孔６は円形であり、長座２の一側面２ａから他側面２ｂにかけて段差状に形成されている。したがって、軸孔６は、正確には摘み５の後述する嵌合鍔部２１が嵌合する大径孔６ａと、この大径孔６ａに連通する小径孔６ｂとから成る。それ故に、前記大径孔６ａの部分は嵌合凹所１５となっており、この嵌合凹所１５に連設する小径孔６ｂの部分は摘み５の後述する複数個の係合爪２８が圧接する内周壁１６となっている。
【００１１】
次に図２乃至図７を参照にサムターン用摘み５について説明する。２０は親指と人差し指とで摘むことができる板状の摘み部である。２１は板状摘み部に連設する嵌合鍔部で、この嵌合鍔部２１は長座２の嵌合凹所１５に嵌合する。２２は嵌合鍔部に連設する軸部で、この軸部２２は長座２の小径孔６ｂに貫通状態に係合する。
【００１２】
そこで、本願発明の特徴部分である軸部２２の構造について説明する。この軸部２２の中心部には角軸穴部２３が形成されている。また軸部２２には角軸穴部２３を中心とする環状溝２４が挿入先端面２５からと嵌合鍔部２１に至まで奥へと形成されている。また軸部２２はこの環状溝２４によって形成された外筒状周壁部２６を有する。なお、ここで「外筒状」とは図で示すように不完全な筒状を意味する。
【００１３】
しかして、外筒状周壁部２６には、図４及び図５で示すように内周端縁から軸芯方向へ比較的短いスリット状の切欠溝２７が複数本形成されている。本実施例では切欠溝２７は、図５で示すように周方向に所要間隔を有して合計４本形成されている。また外筒状周壁部２６の挿入先端部の外周壁面には、挿入時に長座２の軸孔６の内周壁１６に圧接する係止爪２８が前記切欠溝２７を介して合計４個突設されている。これらの係止爪２８は挿入先端部の外周壁面の任意の箇所に設けても良いが、本実施例では切欠溝２７の奥の方に角軸穴部２３と材質自体の弾性力に抗して内側にやや変位可能な外筒状周壁部２６とを連結する細い支持短杆２９の位置を考慮し、前記切欠溝２７の近傍に設けられている。そして、係止爪２８の外周部にはテーパー面２８ａが形成されている。
【００１４】
上記構成に於いて、図３，図８，図９を参照に長座２に摘み５を組み込む場合について説明する。まず、摘み５の摘み部２０を親指と人差し指で摘む。次に摘み５の軸部２２を図３で示すように長座２の軸孔６に嵌め合わせるようにする。そこで、摘み部２０と嵌合鍔部２１の両者に力を入れ、例えば多少回し込むように一気に押込む。そうすると、摘み５の挿入先端部の周方向に所定間隔を有して配設された複数個の係止爪２８が長座２の小径孔６ｂの内周壁１６に圧接し、図８及び図９で示すように外筒状周壁部２６の挿入先端部が内側に変位してやや萎み状態になる。この時外筒状周壁部２６の挿入先端部は、その一部が細い支持短杆２９に支持されているので、複数個の係止爪２８の接触部分であるテーパー面２８ａに圧力が集中し、切欠溝２７付近の各挿入先端部が材質自体の弾性力に抗して内側に変位する。このような状態で各係止爪２８が内周壁１６を摺動し、長座２の小径孔６ｂを抜ける。
【００１５】
しかして、各係止爪２８は小径孔６ｂを抜けると弾発的に復帰し、直ちに小径孔６ｂの内周縁に係合する。つまり、各係止爪２８が長座２の他側面２ｂ（軸孔６の縁部）にワンタッチ式に係止状態になるので、摘み５の抜脱防止が自動的に図られる。
【００１６】
【実施例】
第１実施例に於いて、係止爪２８は外筒状周壁部２６の周方向に所要間隔を有して配設され、これらの係止爪２８は角軸穴部２３と外筒状周壁部２６とを連結する支持短杆２９の位置を考慮し、前記切欠溝２７の近傍に設けられている。しかし、前記支持短杆２９は本発明の特定要件ではなく、例えば図１０乃至図１２に示す第２実施例のように該構成要件を欠落させても良い。なお、この第２実施例は、各係止爪２８が切欠溝２７を介した各外筒状周壁部２６の中央部にそれぞれ突設されている点を除き、第１実施例と同一の構成なので、便宜上同一の符号を付し、詳細な説明を省略する。
【００１７】
【発明の効果】
以上の説明から明らかなように、本発明にあっては、次に列挙するような効果がある。
（１）個々の抜脱防止具、ペンチ等の治具を使用しないで、ワンタッチ方式で摘みを座に組み込むことができる。
（２）摘みの軸部に突設した係合爪を介して軸部の弾性変形を容易にできる反面、係止爪が座の軸孔を摺動通過した途端に材質自体の弾発力により復帰し、直ちに軸孔の内周縁部に係合する。したがって、中途半端な嵌め込み不良が生じない。
【図面の簡単な説明】
図１乃至図９は本発明の第１実例を示す各説明図。図１０乃至図１２は本発明の第２実例を示す各説明図。
【図１】本発明の実施の形態を説明する背面側からの説明図。
【図２】本発明の実施の形態を説明する主要部の概略断面説明図。
【図３】本発明の座と摘みの関係を示す斜視図。
【図４】本発明の摘みの正面図。
【図５】図４に於いて、左側面から見た説明図。
【図６】図４の６−６線概略断面図。
【図７】図４の７−７線概略断面図。
【図８】本発明の摘み座に組み込む時の説明図。
【図９】図８に於いて、摘み軸部の作用を示す説明図。
【図１０】第２実施例の摘みの正面図。
【図１１】図１０に於いて、左側面から見た説明図。
【図１２】図１０に於いて、１２−１２線概略断面図。
【符号の説明】
１…扉、２，３…長座（座）、５…摘み、６…軸孔、６ａ…大径孔、６ｂ…小径孔、１５…嵌合凹所、１６…内周壁、２０…摘み部、２１…嵌合鍔部、２２…軸部、２３…角軸穴部、２５…挿入先端面、２６…外筒状周壁部、２７…切欠溝、２８…係止爪、２９…支持短杆。
【図１】
0004030229.tif 000002
【図２】
0004030229.tif 000003
【図３】
0004030229.tif 000004
【図４】
0004030229.tif 000005
【図５】
0004030229.tif 000006
【図６】
0004030229.tif 000007
【図７】
0004030229.tif 000008
【図８】
0004030229.tif 000009
【図９】
0004030229.tif 000010
【図１０】
0004030229.tif 000011
【図１１】
0004030229.tif 000012
【図１２】
0004030229.tif 000013